(57)【特許請求の範囲】
【請求項１】
テレビジョン信号を受ける受信手段と、
テレビジョン信号からトランスポートストリームを復調する復調手段と、
前記復調手段により復調されたトランスポートストリームから緊急警報信号を抽出する抽出手段と、
前記抽出手段により抽出された緊急警報信号に応答して緊急警報を出力する緊急警報出力手段と、
光エネルギーを電力に変換する光発電手段と、
前記光発電手段により得られる電力を蓄積する蓄電手段と、
外部電源からの電力の電圧レベルを検出する第１の検出手段と、
前記第１の検出手段により検出される電圧レベルに基づいて前記外部電源からの電力および前記蓄電手段に蓄積された電力の少なくとも一方を前記受信手段、前記復調手段、前記抽出手段および前記緊急警報出力手段に供給する電力切替手段と、
前記受信手段、前記復調手段、前記抽出手段および前記緊急警報出力手段に前記蓄電手段に蓄積された電力が供給されている状態で、前記抽出手段により緊急警報信号が抽出された場合に、前記第１の検出手段により検出される電圧レベルに基づいて前記外部電源から電力が供給されているか否かを判定し、前記外部電源から電力が供給されていると判定した場合に、前記外部電源からの電力が前記警報出力手段に供給されるように前記電力切替手段を制御する制御手段とを備えたことを特徴とするデジタル放送受信装置。
【請求項２】
前記抽出手段は、トランスポートストリームから映像ストリームおよび音声ストリームを抽出し、
前記抽出手段により抽出された映像ストリームおよび音声ストリームを映像データおよび音声データに復号する復号手段と、
前記復号手段により復号された映像データに基づく映像信号を出力する映像出力手段と、
前記復号手段により復号された音声データに基づく音声信号を出力する音声出力手段と、
前記第１の検出手段により検出された電圧レベルに基づいて前記復号手段、前記映像出力手段および前記音声出力手段の一部または全てに前記電力切替手段からの電力を選択的に供給しまたは前記復号手段、前記映像出力手段および前記音声出力手段の一部または全てへの電力供給を遮断する供給選択手段とをさらに備えたことを特徴とする請求項１記載のデジタル放送受信装置。
【請求項３】
前記蓄電手段の電圧レベルを検出する第２の検出手段をさらに備え、
前記供給選択手段は、前記第１の検出手段により検出された電圧レベルおよび前記第２の検出手段により検出された電圧レベルに基づいて前記復号手段、前記映像出力手段および前記音声出力手段の一部または全てに前記電力切替手段からの電力を選択的に供給しまたは前記復号手段、前記映像出力手段および前記音声出力手段の一部または全てへの電力供給を遮断することを特徴とする請求項２記載のデジタル放送受信装置。
【請求項４】
前記供給選択手段は、
前記第１の検出手段により検出された電圧レベルが予め定められた第１の基準値以上の場合に前記復号手段、前記映像出力手段および前記音声出力手段に前記電力切替手段からの電力を供給し、
前記第１の検出手段により検出された電圧レベルが前記第１の基準値未満の場合に前記復号手段、前記映像出力手段および前記音声出力手段に前記電力切替手段からの電力を選択的に供給しまたは前記復号手段、前記映像出力手段および前記音声出力手段への電力供給を遮断することを特徴とする請求項３記載のデジタル放送受信装置。
【請求項５】
前記供給選択手段は、
前記第１の検出手段により検出された電圧レベルが前記第１の基準値未満でかつ前記第２の検出手段により検出された電圧レベルが予め定められた第２の基準値以上の場合に前記復号手段、前記映像出力手段および前記音声出力手段に前記電力切替手段からの電力を供給し、
前記第１の検出手段により検出された電圧レベルが前記第１の基準値未満でかつ前記第２の検出手段により検出された電圧レベルが予め定められた第３の基準値以上で前記第２の基準値未満の場合に前記復号手段および前記音声出力手段に前記電力切替手段からの電力を供給し、前記映像出力手段に前記電力切替手段からの電力を供給せず、
前記第１の検出手段により検出された電圧レベルが前記第１の基準値未満でかつ前記第２の検出手段により検出された電圧レベルが前記第３の基準値未満の場合に前記復号手段、前記映像出力手段および前記音声出力手段に前記電力切替手段からの電力を供給しないことを特徴とする請求項４記載のデジタル放送受信装置。
【請求項６】
前記緊急警報出力手段は、
前記抽出手段により抽出された緊急警報信号に応答して、予め記憶された音声データから緊急音声信号を発生する緊急音声発生手段を含むことを特徴とする請求項２〜５のいずれかに記載のデジタル放送受信装置。
【請求項７】
前記音声出力手段から出力される音声信号および前記緊急音声発生手段により発生される緊急音声信号を合成して出力する音声合成手段をさらに備えたことを特徴とする請求項６記載のデジタル放送受信装置。
【請求項８】
前記制御手段は、前記抽出手段により抽出された緊急警報信号に応答して前記緊急音声発生手段により緊急音声信号が発生された後、前記音声出力手段から音声信号が出力されるように前記抽出手段、前記復号手段および前記緊急音声発生手段を制御することを特徴とする請求項６または７記載のデジタル放送受信装置。
【請求項９】
前記蓄電手段を前記外部電源からの電力により充電する第１の状態と前記蓄電手段を前記外部電源から電気的に遮断する第２の状態とに切り替え可能な充電切替手段をさらに備えたことを特徴とする請求項１〜８のいずれかに記載のデジタル放送受信装置。
【請求項１０】
前記蓄電手段の電圧レベルに基づいて前記充電切替手段を前記第１の状態および前記第２の状態に選択的に設定する設定手段をさらに備えたことを特徴とする請求項９記載のデジタル放送受信装置。
【請求項１１】
前記設定手段は、前記第１の検出手段により検出された電圧レベルが予め定められた第１の許容値以上でかつ前記蓄電手段の電圧レベルが予め定められた第２の許容値未満の場合に前記充電切替手段を前記第１の状態に設定することを特徴とする請求項１０記載のデジタル放送受信装置。
【請求項１２】
テレビジョン放送の電波を受信するアンテナと、
前記アンテナにより受信された電波をテレビジョン信号に変換し、得られたテレビジョン信号を前記受信手段に与える変換手段と、
前記アンテナおよび前記光発電手段を支持する支持部材とをさらに備えたことを特徴とする請求項１〜１１のいずれかに記載のデジタル放送受信装置。
【請求項１３】
前記緊急音声信号は、トランスポートストリームの番組特定情報に含まれ、
前記抽出手段は、番組特定情報から緊急音声信号を抽出することを特徴とする請求項１〜１２のいずれかに記載のデジタル放送受信装置。
【発明の詳細な説明】
【技術分野】
【０００１】
本発明は、デジタル放送を受信する機能を有するデジタル放送受信装置に関する。
【背景技術】
【０００２】
テレビジョン放送には、地震または津波が発生したときのような緊急時には緊急警報信号が重畳される。デジタルテレビジョン放送における緊急警報信号については、非特許文献１に規定されている。
【０００３】
図１３は従来のテレビジョン受信機の構成の一例を示すブロック図である。図１３において、テレビジョン信号の電波を受信するアンテナユニット１１０は、アンテナ１１１およびコンバータ１１５により構成される。
【０００４】
アンテナユニット１１０のアンテナ１１１は、テレビジョン放送システム６０から送信されるテレビジョン信号の電波を受信し、コンバータ１１５はそのテレビジョン信号をテレビジョンＩＦ（中間周波）信号に変換して出力する。
【０００５】
テレビジョン受信機１２０は、電源回路１２２、スイッチ１２３、ＣＰＵ（中央演算処理装置）１２４、受信信号判別ブロック１４０、ＡＶ（音声映像）デコーダ１２９および映像音声出力回路１３０を備える。受信信号判別ブロック１４０は、チューナ１４１、復調回路１４２、ＴＳ（トランスポートストリーム）デコーダ１４３およびＤＣ−ＤＣ（直流−直流）コンバータ１４４を含む。
【０００６】
テレビジョン受信機１２０の受信信号判別ブロック１４０には、アンテナユニット１１０からテレビジョンＩＦ信号が入力される。
【０００７】
チューナ１４１は、後述するＤＣ−ＤＣコンバータ１４４から供給される電力で動作し、テレビジョンＩＦ信号の周波数を選択することにより選局を行い、選曲された信号を出力する。
【０００８】
復調回路１４２は、チューナ１４１から出力された信号を復調し、ＭＰＥＧ(Moving Picture Experts Group)規格に準拠したトランスポートストリーム（以下、ＴＳと呼ぶ）を出力する。
【０００９】
ＴＳデコーダ１４３は、復調回路１４２から出力されるＴＳにＭＰＥＧ規格に準拠したフィルタリング処理を行い、映像ストリーム、音声ストリーム、データ放送関係のパケット等を分離する。
【００１０】
ＡＶデコーダ１２９は、ＴＳデコーダ１４３から出力される映像ストリームおよび音声ストリームを復号し、映像データおよび音声データを出力する。
【００１１】
映像出力回路３０は、ＡＶデコーダ１２９から出力される映像データをＤ／Ａ（デジタル／アナログ）変換し、図示しないモニタに映像アナログ信号を出力する。それにより、モニタの画面に映像が表示される。
【００１２】
音声出力回路１２８は、ＡＶデコーダ１２９から出力される音声データをＤ／Ａ変換し、図示しないスピーカに音声アナログ信号を出力する。それにより、スピーカから音声が出力される。
【００１３】
スイッチ１２３は、ユーザが図示しない主電源スイッチをオンにしたときに後述するＣＰＵ１２４によりオンにされる。電源回路１２２は、スイッチ１２３がオンしているときに、ＡＣ電源６１から供給されるＡＣ電力をＤＣ電力に変換し、ＤＣ電力をテレビジョン受信機１２０内の各構成要素に供給する。ＤＣ−ＤＣコンバータ１４４は、電源回路１２２からのＤＣ電力を、チューナ１４１およびコンバータ１１５に必要な電圧に変換して出力する。ＣＰＵ１２４は、テレビジョン受信機１２０の各構成要素を制御する。
【００１４】
テレビジョン受信機１２０において、緊急警報信号を受信することができるのは、ユーザにより主電源スイッチがオンにされてＡＣ電源６１から電力がテレビジョン受信機１２０に供給されているときのみである。つまり、テレビジョン受信機１２０の各構成要素に電力が供給され、ＣＰＵ１２４が緊急警報信号を受信可能な状態に各構成要素を制御しているときのみにテレビジョン受信機１２０は緊急警報信号を受信することができる。
【００１５】
しかし、地震または津波がいつ発生するかわからないので、緊急警報信号がいつ送信されるのかわからない。テレビジョン受信機１２０が緊急警報信号を常に受信できるようにするためには、常に主電源スイッチをオンの状態にし、テレビジョン受信機１２０の各構成要素に電力を供給しておけばよい。しかしながら、全国の全ての家庭のテレビジョン受信機において、各構成要素に電力を供給することになると、全国で無駄な電力を大量に消費することになる。それを解決する手段の例が以下の二つの特許文献１および２に提案されている。
【００１６】
特許文献１には、太陽電池を用いて常時電力を供給し、緊急放送信号を受信する緊急放送用受信機が記載されている。
【００１７】
また、特許文献２には、スタンバイ状態の消費電力を低減するために、太陽電池を用いてスタンバイ時に制御系のみに電力を供給する衛星放送受信システムが記載されている。
【特許文献１】実開昭５８−１７６４３８号公報
【特許文献２】特開２００１−１６０９３５号公報
【非特許文献１】ＡＲＩＢ  ＳＴＤ−Ｂ１０  「デジタル放送に使用する番組配列情報  標準規格」
【発明の開示】
【発明が解決しようとする課題】
【００１８】
特許文献１に記載されている緊急放送用受信機は、ラジオのような音声出力のみを有する機器である。これに対して、デジタルテレビジョン受信機は、ラジオとは異なり映像の表示および音声の出力を行うため、比較的大量の電力を消費する。したがって、デジタルテレビジョン受信機に特許文献１に記載の技術を適用すると、太陽電池の電力消費が速くなり、デジタルテレビジョン受信機が受信不可能な状態になりやすい。
【００１９】
また、デジタルテレビジョン受信機においては、ＮＩＴ（ネットワーク管理情報テーブル；Network Information Table）またはＰＭＴ（番組対応管理テーブル；Program Map Table）を受信および解析するとともに、映像データおよび音声データを復号して映像および音声を提示するために、テレビジョン信号の受信から映像および音声の提示までにラジオに比べて時間がかかる。したがって、デジタルテレビジョン受信機に特許文献１に記載の技術を適用すると、緊急警報信号の受信から提示までに時間がかかる。
【００２０】
次に、特許文献２に記載されている衛星放送受信システムにおいては、省電力化は可能であるが、緊急警報信号の受信は想定されていない。そのため、地震等で停電が発生し、屋内電源から衛星放送受信機にＡＣ電力が供給されていないときなどには、衛星放送受信機が緊急警報信号を受信することができない。
【００２１】
本発明の目的は、外部電源から電力が供給されていない場合でも緊急警報信号を常時受信すること、緊急警報信号の受信から短時間で緊急警報を提示すること、および停電の発生時にも長時間にわたって緊急警報信号を受信することを可能にするデジタル放送受信装置を提供することである。
【課題を解決するための手段】
【００２２】
（１）第１の発明に係るデジタル放送受信装置は、テレビジョン信号を受ける受信手段と、テレビジョン信号からトランスポートストリームを復調する復調手段と、復調手段により復調されたトランスポートストリームから緊急警報信号を抽出する抽出手段と、抽出手段により抽出された緊急警報信号に応答して緊急警報を出力する緊急警報出力手段と、光エネルギーを電力に変換する光発電手段と、光発電手段により得られる電力を蓄積する蓄電手段と、外部電源からの電力の電圧レベルを検出する第１の検出手段と、第１の検出手段により検出される電圧レベルに基づいて外部電源からの電力および蓄電手段に蓄積された電力の少なくとも一方を受信手段、復調手段、抽出手段および緊急警報出力手段に供給する電力切替手段と、受信手段、復調手段、抽出手段および緊急警報出力手段に蓄電手段に蓄積された電力が供給されている状態で、抽出手段により緊急警報信号が抽出された場合に、第１の検出手段により検出される電圧レベルに基づいて外部電源から電力が供給されているか否かを判定し、外部電源から電力が供給されていると判定した場合に、外部電源からの電力が警報出力手段に供給されるように電力切替手段を制御する制御手段とを備えたものである。
【００２３】
本発明に係るデジタル放送受信装置においては、光発電手段により光エネルギーが電力に変換され、その電力が蓄電手段により蓄積される。外部電源からの電力の電圧レベルが第１の検出手段により検出され、検出される電圧レベルに基づいて外部電源からの電力および蓄電手段に蓄積された電力が電力切替手段により選択的に受信手段、復調手段、抽出手段および緊急警報出力手段に供給される。
【００２４】
受信手段によりテレビジョン信号が受信されると、復調手段によりテレビジョン信号からトランスポートストリームが復調され、抽出手段によりトランスポートストリームから緊急警報信号が抽出される。抽出された緊急警報信号に応答して緊急警報出力手段により緊急警報が出力される。
【００２５】
このように、外部電源からの電力の電圧レベルに基づいて外部電源からの電力および蓄電手段に蓄積された電力の少なくとも一方が受信手段、復調手段、抽出手段および緊急警報出力手段に供給される。それにより、外部電源から電力が供給されていない場合でも緊急警報を常時受信することが可能である。
【００２６】
また、抽出された緊急警報信号に応答して緊急警報が出力される。それにより、緊急警報信号の受信から短時間で緊急警報を提示することが可能である。したがって、ユーザは、緊急警報の発令を迅速に知ることができる。
【００２７】
さらに、光発電手段により得られる電力が常時蓄電手段に蓄積される。それにより、停電の発生時にも長時間にわたって緊急警報信号を受信することが可能である。
また、受信手段、復調手段、抽出手段および緊急警報出力手段に蓄電手段に蓄積された電力が供給されている状態で、抽出手段により緊急警報信号が抽出された場合に、第１の検出手段により検出される電圧レベルに基づいて外部電源から電力が供給されているか否かが制御手段により判定される。外部電源から電力が供給されていると判定された場合に、外部電源からの電力が警報出力手段に供給されるように制御手段により電力切替手段が制御される。
【００２８】
（２）抽出手段は、トランスポートストリームから映像ストリームおよび音声ストリームを抽出し、デジタル放送受信装置は、抽出手段により抽出された映像ストリームおよび音声ストリームを映像データおよび音声データに復号する復号手段と、復号手段により復号された映像データに基づく映像信号を出力する映像出力手段と、復号手段により復号された音声データに基づく音声信号を出力する音声出力手段と、第１の検出手段により検出された電圧レベルに基づいて復号手段、映像出力手段および音声出力手段の一部または全てに電力切替手段からの電力を選択的に供給しまたは復号手段、映像出力手段および音声出力手段の一部または全てへの電力供給を遮断する供給選択手段とをさらに備えてもよい。
【００２９】
この場合、トランスポートストリームから映像ストリームおよび音声ストリームが抽出手段により抽出され、映像ストリームおよび音声ストリームが復号手段により映像データおよび音声データに復号され、映像出力手段により映像データに基づく映像信号が出力され、音声出力手段により音声データに基づく音声信号が出力される。
【００３０】
また、外部電源の電圧レベルに基づいて復号手段、映像出力手段および音声出力手段の一部または全てに電力供給または電力供給の遮断が行われる。それにより、外部電源から電力が供給されていない場合または外部電源の電圧レベルが低い場合に蓄電手段に蓄積された電力の消費が抑制される。したがって、蓄電手段に蓄積された電力が完全に消費されることが防止される。
【００３１】
（３）デジタル放送受信装置は、蓄電手段の電圧レベルを検出する第２の検出手段をさらに備え、供給選択手段は、第１の検出手段により検出された電圧レベルおよび第２の検出手段により検出された電圧レベルに基づいて復号手段、映像出力手段および音声出力手段の一部または全てに電力切替手段からの電力を選択的に供給しまたは復号手段、映像出力手段および音声出力手段の一部または全てへの電力供給を遮断してもよい。
【００３２】
この場合、外部電源の電圧レベルおよび蓄電手段の電圧レベルに基づいて復号手段、映像出力手段および音声出力手段の一部または全てに電力供給または電力供給の遮断が行われる。それにより、蓄電手段に蓄積された電力が効率的に消費される。したがって、停電時でも長時間にわたって緊急警報信号を受信することができる。
【００３３】
（４）供給選択手段は、第１の検出手段により検出された電圧レベルが予め定められた第１の基準値以上の場合に復号手段、映像出力手段および音声出力手段に電力切替手段からの電力を供給し、第１の検出手段により検出された電圧レベルが第１の基準値未満の場合に復号手段、映像出力手段および音声出力手段に電力切替手段からの電力を選択的に供給しまたは復号手段、映像出力手段および音声出力手段への電力供給を遮断してもよい。
【００３４】
外部電源の電圧レベルが第１の基準値以上の場合に復号手段、映像出力手段および音声出力手段に電力が供給される。それにより、映像信号および音声信号が出力される。
【００３５】
また、外部電源の電圧レベルが第１の基準値未満の場合に復号手段、映像出力手段および音声出力手段に電力が選択的に供給され、または復号手段、映像出力手段および音声出力手段への電力供給が遮断される。それにより、映像信号および音声信号が選択的に出力され、または映像信号および音声信号が出力されない。したがって、外部電源から電力が供給されていない場合または外部電源の電圧レベルが低い場合に蓄電手段に蓄積された電力が効率的に消費される。その結果、停電時でも長時間にわたって緊急警報信号を受信することができる。
【００３６】
（５）供給選択手段は、第１の検出手段により検出された電圧レベルが第１の基準値未満でかつ第２の検出手段により検出された電圧レベルが予め定められた第２の基準値以上の場合に復号手段、映像出力手段および音声出力手段に電力切替手段からの電力を供給し、第１の検出手段により検出された電圧レベルが第１の基準値未満でかつ第２の検出手段により検出された電圧レベルが予め定められた第３の基準値以上で第２の基準値未満の場合に復号手段および音声出力手段に電力切替手段からの電力を供給し、映像出力手段に電力切替手段からの電力を供給せず、第１の検出手段により検出された電圧レベルが第１の基準値未満でかつ第２の検出手段により検出された電圧レベルが第３の基準値未満の場合に復号手段、映像出力手段および音声出力手段に電力切替手段からの電力を供給しなくてもよい。
【００３７】
外部電源の電圧レベルが第１の基準値より低くかつ蓄電手段の電圧レベルが第２の基準値以上の場合に復号手段、映像出力手段および音声出力手段に電力が供給される。それにより、映像信号および音声信号が出力される。
【００３８】
また、外部電源の電圧レベルが第１の基準値よりも低くかつ蓄電手段の電圧レベルが第３の基準値以上で第２の基準値より低い場合に復号手段および音声出力手段に電力が供給され、映像出力手段に電力が供給されない。それにより、音声信号が出力される。したがって、蓄電手段の電力消費が最小限に抑制されつつ蓄電手段が光発電手段により充電される。
【００３９】
さらに、外部電源の電圧レベルが第１の基準値よりも低くかつ蓄電手段の電圧レベルが第３の基準値より低い場合に復号手段、映像出力手段および音声出力手段に電力が供給されない。それにより、蓄電手段の電圧レベルの低下が防止されつつ蓄電手段が光発電手段により充電される。
【００４０】
（６）緊急警報出力手段は、抽出手段により抽出された緊急警報信号に応答して、予め記憶された音声データから緊急音声信号を発生する緊急音声発生手段を含んでもよい。
【００４１】
この場合、緊急警報信号に応答して予め記憶された音声データから緊急音声信号が発生されるので、緊急警報を迅速に出力することができる。
【００４２】
（７）デジタル放送受信装置は、音声出力手段から出力される音声信号および緊急音声発生手段により発生される緊急音声信号を合成して出力する音声合成手段をさらに備えてもよい。
【００４３】
この場合、テレビジョン放送の音声信号とともに緊急音声信号を出力することができる。
【００４４】
（８）制御手段は、抽出手段により抽出された緊急警報信号に応答して緊急音声発生手段により緊急音声信号が発生された後、音声出力手段から音声信号が出力されるように抽出手段、復号手段および緊急音声発生手段を制御してもよい。
【００４５】
この場合、緊急音声信号がテレビジョン放送の音声信号に優先して出力される。それにより、停電時でも蓄電手段に蓄積された電力により緊急音声信号を確実に出力することができる。
【００４６】
（９）デジタル放送受信装置は、蓄電手段を外部電源からの電力により充電する第１の状態と蓄電手段を外部電源から電気的に遮断する第２の状態とに切り替え可能な充電切替手段をさらに備えてもよい。
【００４７】
この場合、充電切替手段が第１の状態に切り替えられることにより蓄電手段が光発電手段および外部電源の両方により迅速に充電される。また、充電切替手段が第２の状態に切り替えられることによ蓄電手段に蓄積された電力が無駄に消費されることが防止される。
【００４８】
（１０）デジタル放送受信装置は、蓄電手段の電圧レベルに基づいて充電切替手段を第１の状態および第２の状態に選択的に設定する設定手段をさらに備えてもよい。
【００４９】
この場合、蓄電手段の電圧レベルに基づいて充電切替手段が光発電手段および外部電源の両方により迅速に充電されるとともに、蓄電手段に蓄積された電力が無駄に消費されることが防止される。
【００５０】
（１１）設定手段は、第１の検出手段により検出された電圧レベルが予め定められた第１の許容値以上でかつ蓄電手段の電圧レベルが予め定められた第２の許容値未満の場合に充電切替手段を第１の状態に設定してもよい。
【００５１】
それにより、外部電源の電圧レベルが十分に高くかつ蓄電手段の電圧レベルが低い場合に充電切替手段が光発電手段および外部電源の両方により迅速に充電される。
【００５２】
（１２）デジタル放送受信装置は、テレビジョン放送の電波を受信するアンテナと、アンテナにより受信された電波をテレビジョン信号に変換し、得られたテレビジョン信号を受信手段に与える変換手段と、アンテナおよび光発電手段を支持する支持部材とをさらに備えてもよい。
【００５３】
この場合、太陽光を受けやすい場所に光発電手段をアンテナとともに容易に設置することができる。
【００５４】
（１３）緊急音声信号は、トランスポートストリームの番組特定情報に含まれ、抽出手段は、番組特定情報から緊急音声信号を抽出してもよい。
【００５５】
この場合、抽出手段は、トランスポートストリームの番組特定情報から緊急音声信号を容易かつ迅速に抽出することができる。
【発明の効果】
【００５６】
本発明によれば、外部電源からの電力の電圧レベルに基づいて外部電源からの電力および蓄電手段に蓄積された電力の少なくとも一方が受信手段、復調手段および抽出手段に供給される。それにより、外部電源から電力が供給されていない場合でも緊急警報を常時受信することが可能である。
【００５７】
また、抽出された緊急警報信号に応答して緊急警報が出力される。それにより、緊急警報信号の受信から短時間で緊急警報を提示することが可能である。したがって、ユーザは、緊急警報の発令を迅速に知ることができる。
【００５８】
さらに、光発電手段により得られる電力が常時蓄電手段に蓄積される。それにより、停電の発生時にも長時間にわたって緊急警報信号を受信することが可能である。
【発明を実施するための最良の形態】
【００５９】
以下、本発明に係るデジタル放送受信装置の一例としてテレビジョン受信機を含むテレビジョン放送受信システムについて説明する。
【００６０】
（１）アンテナユニットおよびテレビジョン受信機の構成
図１は本発明の一実施の形態に係るデジタル放送受信システムの構成を示すブロック図である。
【００６１】
図１のデジタル放送受信システムは、テレビジョン信号の電波を受信するアンテナ１０およびテレビジョン受信機２０により構成される。
【００６２】
アンテナユニット１０は、アンテナ１１、太陽光発電器（太陽電池）１２、コンバータ１５および蓄電回路５０を備える。蓄電回路５０は、蓄電器５１およびスイッチ５２から構成される。
【００６３】
また、テレビジョン受信機２０は、電源供給切替機２１、電源回路２２、スイッチ２３、ＣＰＵ（中央演算処理装置）２４、緊急音声発生回路２５、音声合成回路２６、電源選択回路２７、音声出力回路２８、ＡＶデコーダ２９、映像出力回路３０、受信信号判別ブロック４０、電源回路電圧検出器３１、蓄電器電圧検出器３２および電源状態判別回路３３を備える。受信信号判別ブロック４０は、チューナ４１、復調回路４２、ＴＳ（トランスポートストリーム）デコーダ４３およびＤＣ−ＤＣ（直流−直流）コンバータ４４から構成される。
【００６４】
アンテナユニット１１０のアンテナ１１は、テレビジョン放送システム６０から送信されるテレビジョン信号の電波を受信し、コンバータ１５はそのテレビジョン信号をテレビジョンＩＦ（中間周波）信号に変換して出力する。
【００６５】
テレビジョン受信機１２０の受信信号判別ブロック４０には、アンテナユニット１１０からテレビジョンＩＦ信号が入力される。
【００６６】
チューナ４１は、後述するＤＣ−ＤＣコンバータ４４から供給される電力で動作し、テレビジョンＩＦ信号の周波数を選択することにより選局を行い、選局された信号を出力する。また、チューナ４１は、ＤＣ−ＤＣコンバータ４４から供給される電力をコンバータ１５に出力する。
【００６７】
復調回路４２は、チューナ４１から出力された信号を復調し、ＭＰＥＧ(Moving Picture Experts Group)規格に準拠したトランスポートストリーム（以下、ＴＳと呼ぶ）を出力する。
【００６８】
ＴＳデコーダ４３は、復調回路４２から出力されるＴＳにＭＰＥＧ規格に準拠したフィルタリング処理を行い、映像ストリーム、音声ストリーム、データ放送関係のパケット等を分離する。フィルタリング処理は、ＮＩＴ（ネットワーク管理情報テーブル；Network Information Table）パケット、ＰＡＴ（番組統合テーブル；Program Association Table）パケット、またはＰＭＴ（番組対応管理テーブル；Program Map Table）パケット等に含まれるＰＩＤ（パケット識別子；Packet Identifier）を用いて行われる。
【００６９】
このとき、ＴＳデコーダ４３は、これらのパケット内に緊急警報信号が放送中であることを示すフラグが存在する場合には、緊急警報信号を受信したことを示す緊急警報受信信号Ｃ１４をＣＰＵ２４に出力する。緊急警報信号の詳細については後述する。
【００７０】
ＤＣ−ＤＣコンバータ４４は、後述する電源供給切替機２１から供給される電力の電圧をチューナ４１およびコンバータ１５に必要な電圧に変換して出力する。
【００７１】
ＡＶデコーダ２９は、ＴＳデコーダ４３から出力される映像ストリームおよび音声ストリームを復号し、映像データおよび音声データを出力する。
【００７２】
映像出力回路３０は、ＡＶデコーダ２９から出力される映像データをＤ／Ａ（デジタル／アナログ）変換し、モニタ７０に映像アナログ信号を出力する。それにより、モニタ７０の画面に映像が表示される。
【００７３】
音声出力回路２８は、ＡＶデコーダ２９から出力される音声データをＤ／Ａ変換し、音声合成回路２６に音声アナログ信号を出力する。
【００７４】
緊急音声発生回路２５は、ＣＰＵ２４から出力される緊急音声発生信号Ｃ１３に応答して緊急音声に対応する緊急音声アナログ信号を出力する。この緊急音声発生回路２５は、メモリ、デコーダおよびＤ／Ａ（デジタル／アナログ）変換回路から構成される。緊急音声アナログ信号は、予め用意された音声データにより生成される。音声データとして、例えば、“緊急警報発令中”といったような言葉を変調することにより得られるＰＣＭ（パルス符号変調）形式のデータが緊急音声発生回路２５内のメモリ上に予め格納される。緊急音声発生信号Ｃ１３が与えられている間、そのデータがデコーダにより繰り返しデコードされ、Ｄ／Ａ変換回路により緊急音声アナログ信号にＤ／Ａ変換されて出力される。
【００７５】
音声合成回路２６は、音声出力回路２８から出力される音声アナログ信号と緊急音声発生回路２５から出力される緊急音声アナログ信号とを合成し、合成された音声アナログ信号をスピーカ８０に出力する。それにより、スピーカ８０から音声が出力される。
【００７６】
なお、モニタ６０およびスピーカ７０は、テレビジョン受信機２０に内蔵されてもよく、あるいはテレビジョン受信機２０とは別個に設けられてもよい。
【００７７】
アンテナユニット１０の太陽光発電器１２は、太陽光を電力に変換して蓄電回路５０内の蓄電器５１に出力する。テレビジョン受信機２０のチューナ４１から供給される電力はコンバータ１５およびスイッチ５２に供給される。スイッチ５２は、テレビジョン受信機２０の電源状態判別回路３３から与えられる後述する蓄電器スイッチ切替信号Ｃ１７によりオンまたはオフする。スイッチ５２がオンしているときには、チューナ４１からの電力が蓄電器５１に供給される。蓄電器５１は、太陽光発電器１２またはスイッチ５２から供給される電力を内蔵の二次電池に蓄積しつつテレビジョン受信機２０の蓄電器電圧検出器３２に供給する。
【００７８】
テレビジョン受信機２０内のスイッチ２３は、ＣＰＵ２４から出力される電源スイッチ切替信号Ｃ１２に従ってオンまたはオフに設定される。電源回路２２は、スイッチ２３がオンしているときに、ＡＣ電源６１から供給されるＡＣ電力をＤＣ電力に変換し、ＤＣ電力を電源供給切替機２１の端子ａおよび電源回路電圧検出器３１に供給する。
【００７９】
電源回路電圧検出器３１は、電源回路２２から供給される電力の電圧値を検出し、電圧値を示す電源回路電圧値信号Ｃ１６をＣＰＵ２４に出力する。
【００８０】
蓄電器電圧検出器３２は、蓄電器５１から供給された電力をそのまま電源供給切替機２１の端子ｂに出力する。また、蓄電器電圧検出器３２は、内部の電圧計で蓄電器５１から供給される電力の電圧値を検出し、電圧値を示す蓄電器電圧値信号Ｃ１１を電源状態判別回路３３およびＣＰＵ２４に出力する。
【００８１】
電源状態判別回路３３は、蓄電器電圧検出器３２から出力される蓄電器電圧値信号Ｃ１１に基づいて蓄電器５１の電圧値が基準値Ｖａに達しているか否かを判別し、かつＣＰＵ２４から出力される後述する電源回路状態信号Ｃ１０に基づいて電源回路２２の電圧値が基準値Ｖｔに達しているか否かを判別する。電源状態判別回路３３は、判別結果に基づいてスイッチ５２をオンまたはオフに切り替えるための蓄電器スイッチ切替信号Ｃ１７を出力する。
【００８２】
電源供給切替機２１は、ＣＰＵ２４から出力される後述する電源回路状態信号Ｃ１０に基づいて電源回路２２から端子ａに供給される電力または蓄電器電圧検出器３２から端子ｂに供給される電力を選択的に共通端子ｃに与える。共通端子ｃの電力は、ＣＰＵ２４、電源選択回路２７、緊急音声発生回路２５、音声合成回路２６、電源選択回路２７、復調回路４２、ＴＳデコーダ４３およびＤＣ−ＤＣコンバータ４４に供給される。
【００８３】
電源選択回路２７は、ＣＰＵ２４から出力される後述する動作選択信号Ｃ１５に従って電源供給切替機２１からの電力をＡＶデコーダ２９、映像出力回路３０および音声出力回路２８に供給するかまたは電力の供給を停止する。
【００８４】
ＣＰＵ２４は、アンテナユニット１０およびテレビジョン受信機２０の各構成要素を制御するマイクロコンピュータであり、蓄電器電圧値信号Ｃ１１、電源回路電圧値信号Ｃ１６および緊急警報受信信号Ｃ１４を受け、電源供給切替機２１の切替およびスイッチ５２のオンオフを指示するための電源回路状態信号Ｃ１０、ＡＶデコーダ２９、映像出力回路３０および音声出力回路２８に電力を供給するか否かを指示する動作選択信号Ｃ１５、緊急音声発生回路２５に緊急音声アナログ信号の発生を指示する緊急音声発生信号Ｃ１３およびスイッチ２３のオンまたはオフを指示する電源スイッチ切替信号Ｃ１２を後述する状態表に基づいて生成および出力する。
【００８５】
このように、アンテナユニット１０は、テレビジョン放送システム５０から送信されたテレビジョン信号の電波を受信してテレビジョンＩＦ信号を出力する機能を有し、かつ蓄電器５１の電力を出力する機能を有する。
【００８６】
また、テレビジョン受信機２０は、蓄電器５１からの電力およびＡＣ電源６１からの電力を選択的に受けてアンテナユニット１０から出力されるテレビジョンＩＦ信号に基づくアナログ映像信号およびアナログ音声信号を出力する機能を有する。
【００８７】
（２）アンテナユニットの詳細な構成
図２は図１のアンテナユニット１０の外観斜視図である。
【００８８】
図２に示すように、太陽光発電器１２は、アンテナ１１と同じ支柱５３に固定され、アンテナ１１と同じ南向きに設置される。それにより、太陽光発電器１２は、太陽光を十分に受け、その太陽光を電力に変換して出力する。図２の例では、アンテナ１１はパラボラアンテナである。
【００８９】
蓄電回路５０は、アンテナ１１の支柱５３に取り付けられ、太陽光発電器１２およびコンバータ１５にそれぞれ１本のケーブルで接続される。蓄電回路５０とテレビジョン受信機２０とは、３芯の同軸ケーブル６２で接続される。
【００９０】
（３）緊急警報信号における緊急情報記述子のデータ構造
図３はテレビジョン放送システム６０から送信されるテレビジョン信号に重畳される緊急警報信号における緊急情報記述子のデータ構造を示す図である。
【００９１】
緊急情報記述子のデータ構造は非特許文献１に規定されている。また、緊急情報記述子の望ましい配置テーブルとして、ＮＩＴおよびＰＭＴが指定されている。
【００９２】
図３に示すように、緊急情報記述子は、記述子タグ１０１、記述子長１０２、およびサービス識別ループ１１０を含む。サービス識別ループ１１０は、サービス識別１１１、開始／終了フラグ１１２、信号種別１１３、未定義領域１１４、地域符号長１１５および地域符号ループ１２０を含む。地域符号ループ１２０は、地域符号１２１および未定義領域１２２を含む。
【００９３】
ＴＳデコーダ４３は、ＮＩＴまたはＰＭＴが取得されたときに、緊急情報記述子を記述子タグ１０１を用いて識別し、識別された緊急情報記述子を分離する。さらに、ＣＰＵ２４は分離された緊急情報記述子の開始／終了フラグ１１２のビットが“１”の場合に緊急警報信号が開始または放送中であることを認識し、開始／終了フラグ１１２のビットが“０”の場合に緊急警報信号が終了したことを認識する。
【００９４】
（４）各部の状態表
以下、アンテナユニット１０およびテレビジョン受信機２０の各部の状態表について説明する。以下の状態表は、ＣＰＵ２４に内蔵されるメモリに記憶される。あるいは、ＣＰＵ２４とは別個に状態表を記憶するメモリ等の記憶部を設けてもよい。
【００９５】
本実施の形態では、基準値Ｖｔが予め設定されている。基準値Ｖｔは、テレビジョン受信機２０を動作させるために必要な電圧値である。また、基準値Ｖｖおよび基準値ＶａがＶｖ＞Ｖａ＞０の関係を有するように予め設定されている。基準値Ｖａは、音声出力回路２８を動作させるために必要な電圧値であり、基準値Ｖｖは、音声出力回路２８とともに映像出力回路３０を動作させるために必要な電圧値である。
【００９６】
（４−１）スイッチ５２の状態表
図４はスイッチ５２の状態表を示す図である。図４に示すように、スイッチ５２の状態は、蓄電器５１の電圧値および電源回路２２の電圧値により決定される。
【００９７】
電源回路２２の電圧値が基準値Ｖｔ未満のときには、アンテナユニット１０およびテレビジョン受信機２０のための電力供給源は蓄電器５１である。この場合、消費電力を削減するために、蓄電器５１の電圧値に関係なくスイッチ５２はオフに設定される。
【００９８】
電源回路２２の電圧値が基準値Ｖｔ以上のときには、アンテナユニット１０およびテレビジョン受信機２０のための電力供給源は電源回路２２である。蓄電器５１の電圧値が基準値Ｖａ未満のときには、蓄電器５１を迅速に充電するためにスイッチ５２はオンに設定される。蓄電器５１の電圧値が基準値Ｖａ以上のときには、スイッチ５２はオンまたはオフに設定される。
【００９９】
（４−２）電源供給切替機２１の状態表
図５は電源供給切替機２１の状態表を示す図である。図５に示すように、電源供給切替機２１の状態は、電源回路２２の電圧値により決定される。
【０１００】
電源回路２２の電圧値が基準値Ｖｔ以上のときには、アンテナユニット１０およびテレビジョン受信機２０のための電力供給源は電源回路２２である。したがって、電源供給切替機２１は、電源回路２２からの電力が各構成要素に供給されるように端子ａ側に設定される。
【０１０１】
電源回路２２の電圧値が基準値Ｖｔ未満のときには、アンテナユニット１０およびテレビジョン受信機２０のための電力供給源は蓄電器５１である。したがって、電源供給切替機２１は、蓄電器５１からの電力が各構成要素に供給されるように端子ｂ側に設定される。
【０１０２】
（４−３）スイッチ２３の状態表
図６はスイッチ２３の状態表を示す図である。図６には、ユーザがリモコン８０または主電源スイッチを用いて電源を遮断しているときのスイッチ２３の状態が示されている。この場合、スイッチ２３の状態は、蓄電器５１の電圧値および緊急警報信号の受信の有無により決定される。
【０１０３】
緊急警報信号が受信されているときには、蓄電器５１の電圧値に関係なくスイッチ２３はオンに設定される。また、緊急警報信号が受信されておらずかつ蓄電器５１の電圧値が基準値Ｖａ未満の場合にはスイッチ２３はオンに設定される。それにより、ユーザがリモコン８０または主電源スイッチを用いて電源をオンにしたときに蓄電器５１が迅速に充電される。
【０１０４】
緊急警報信号が受信されておらずかつ蓄電器５１の電圧値が基準値Ｖａ以上の場合にはスイッチ２３はオフに設定される。
【０１０５】
（４−４）電源回路２２の状態表
図７は電源回路２２の状態表を示す図である。図７に示すように、電源回路２２の状態は、スイッチ２３のオンオフの状態およびＡＣ電源６１からの電力供給の有無により決定される。
【０１０６】
ＡＣ電源６１からの電力供給がありかつスイッチ２３がオンしているときには、電源回路２２は電力を出力する。ＡＣ電源６１からの電力供給がありかつスイッチ２３がオフしているときには、電源回路２２は電力を出力しない。ＡＣ電源６１からの電力供給がないときにはスイッチ２３の状態に関係なく電源回路２２は電力を出力しない。
【０１０７】
（４−５）電源選択回路２７の状態表
図８は電源選択回路２７の状態表を示す図である。図８には、緊急警報信号が受信されたときの電源選択回路２７の状態が示されている。電源選択回路２７の状態は、電源回路２２の電圧値および蓄電器５１の電圧値により決定される。
【０１０８】
電源回路２２の電圧値が基準値Ｖｔ以上の場合には、電源選択回路２７は、蓄電器５１の電圧値に関係なくＡＶデコーダ２９、映像出力回路３０および音声出力回路２８に電力を供給する。
【０１０９】
電源回路２２の電圧値が基準値Ｖｔ未満でかつ蓄電器５１の電圧値が基準値Ｖｖ以上の場合には、電源選択回路２７は、ＡＶデコーダ２９、映像出力回路３０および音声出力回路２８に電力を供給する。
【０１１０】
電源回路２２の電圧値が基準値Ｖｔ未満でかつ蓄電器５１の電圧値が基準値Ｖａ以上で基準値Ｖｖ未満の場合には、電源選択回路２７は、ＡＶデコーダ２９および音声出力回路２８に電力を供給し、映像出力回路３０への電力供給を遮断する。
【０１１１】
電源回路２２の電圧値が基準値Ｖｔ未満でかつ蓄電器５１の電圧値が基準値Ｖａ未満の場合には、電源選択回路２７は、ＡＶデコーダ２９、映像出力回路３０および音声出力回路２８への電力供給を遮断する。
【０１１２】
（５）アンテナユニット１０およびテレビジョン受信機２０の動作
次に、図１および図４〜図１２を用いてアンテナユニット１０およびテレビジョン受信機２０の動作の詳細を説明する。図９〜図１２はアンテナユニット１０およびテレビジョン受信機２０のＣＰＵ２４の制御を示す４種類のフローチャートである。
【０１１３】
（５−１）電力供給源の切り替え動作
図９はアンテナユニット１０およびテレビジョン受信機２０への電力供給源をＡＣ電源６１から蓄電器５１に切り替える動作を示すフローチャートである。
【０１１４】
まず、図９において、ユーザがリモコン９０または主電源スイッチを用いて電源を遮断する操作を行うと、ＣＰＵ２４は電源スイッチ切替信号Ｃ１２によりスイッチ２３をオフにする（ステップＳ１０）。スイッチ２３がオフになると、図７に示すように、電源回路２２は電力を出力しない。
【０１１５】
この場合、電源回路２２の電圧値は基準値Ｖｔ未満となる。電源回路電圧検出器３１は電源回路２２の電圧値を検出し、電圧値を示す電源回路電圧値信号Ｃ１６をＣＰＵ２４に出力する。ＣＰＵ２４は、電源回路電圧値信号Ｃ１６に基づいて図５の状態表に従って電源供給切替機２１を端子ｂ側に切り替えることにより電力供給源を電源回路２２から蓄電器５１に切り替える（ステップＳ１１）。
【０１１６】
さらに、ＣＰＵ２４は、緊急警報信号の受信待機時の消費電力を低減するために、ＡＶデコーダ２９、映像出力回路３０および音声出力回路２８への電力供給を電源選択回路２７を用いて遮断する（ステップＳ１２）。その後、ＣＰＵ２４は、電力供給源が蓄電器５１である場合の動作に移行する。
【０１１７】
（５−２）電力供給原が蓄電器５１の場合の動作
図１０は電力供給源が蓄電器５１である状態で緊急警報信号が受信されたときに緊急音声、映像および音声を出力する動作を示すフローチャートである。
【０１１８】
緊急警報信号が受信されると、ＴＳデコーダ４３は緊急警報信号の受信を示す緊急警報受信信号Ｃ１４を出力する。ＣＰＵ２４は、ＴＳデコーダ４３から緊急警報受信信号Ｃ１４が出力されているか否かを判別する（ステップＳ２０）。緊急警報受信信号Ｃ１４がＴＳデコーダ４３から出力されていない場合には、ＣＰＵ２４は、緊急警報受信信号Ｃ１４が出力されるまで待機する。
【０１１９】
ＴＳデコーダ４３から緊急警報受信信号Ｃ１４が出力されたときには、ＣＰＵ２４は、緊急音声発生信号Ｃ１３を用いて緊急音声発生回路２５により緊急音声アナログ信号を出力する（ステップＳ２１）。それにより、音声合成回路２６から緊急音声アナログ信号が出力され、スピーカ８０から緊急音声が出力される。
【０１２０】
さらに、ＣＰＵ２４は電源スイッチ切替信号Ｃ１２を用いて図６の状態表にしたがってスイッチ２３をオンにする（ステップＳ２２）。スイッチ２３がオンになると、図７に示すように、ＡＣ電源６１からの電力供給の有無によって電源回路２２の出力の有無が決まる。電源回路電圧検出器３１は、電源回路２２の電圧値を検出し、電圧値を示す電源回路電圧値信号Ｃ１６をＣＰＵ２４に出力する。
【０１２１】
ＣＰＵ２４は、電源回路電圧値信号Ｃ１６に基づいてＡＣ電源６１から電力が供給されているか否かを判別する（ステップＳ２３）。ＡＣ電源６１から電力が供給されていない場合には、ＣＰＵ２４は、図１１のＡＣ電源６１から電力供給がない場合の動作に移行する。
【０１２２】
ＡＣ電源６１から電力が供給されている場合には、ＣＰＵ２４は、電源回路電圧値信号Ｃ１６に基づいて図５の状態表にしたがって電源供給切替機２１を端子ｃ側に切り替えることにより電力供給源を蓄電器５１から電源回路２２に切り替える（ステップＳ２４）。
【０１２３】
さらに、ＣＰＵ２４は、ＡＶデコーダ２９、映像出力回路３０および音声出力回路２８に電源選択回路２７を用いて電力を供給する（ステップＳ２５）。ＡＶデコーダ２９、映像出力回路３０および音声出力回路２８に電力が供給されると、ＣＰＵ２４は、ＡＶデコーダ２９、映像出力回路３０および音声出力回路２８により映像アナログ信号および音声アナログ信号をぞれぞれ出力する（ステップＳ２６）。それにより、モニタ６０の画面にテレビジョン放送の映像が表示される。また、音声合成回路２６から緊急音声アナログ信号が合成された音声アナログ信号が出力され、スピーカ８０からテレビジョン放送の音声および緊急音声が出力される。
【０１２４】
（５−３）ＡＣ電源６１から電力供給がない場合の動作
図１１はＡＣ電源６１から電力供給がない状態で緊急警報信号が受信されたときに緊急音声、映像および音声を出力する動作を示すフローチャートである。
【０１２５】
図１１において、緊急警報信号が受信されたときに、蓄電器電圧検出器３２は蓄電器５１の電圧値を検出し、電圧値を示す蓄電器電圧値信号Ｃ１１を出力する。ＣＰＵ２４は、蓄電器電圧値信号Ｃ１１に基づいて蓄電器５１の電圧値が映像および音声の出力のために十分である（蓄電器５１の電圧値が基準値Ｖｖ以上である）か否かを判別する（ステップＳ３０）。
【０１２６】
蓄電器５１の電圧値が映像および音声の出力のために十分である（蓄電器５１の電圧値が基準値Ｖｖ以上である）ときには、ＣＰＵ２４は、図８の状態表に従ってＡＶデコーダ２９、映像出力回路３０および音声出力回路２８に電源選択回路２７を用いて電力を供給する（ステップＳ３２）。
【０１２７】
ＡＶデコーダ２９、映像出力回路３０および音声出力回路２８に電力が供給されると、ＣＰＵ２４は、ＡＶデコーダ２９、映像出力回路３０および音声出力回路２８により映像アナログ信号および音声アナログ信号をそれぞれを出力する（ステップＳ３４）。
【０１２８】
それにより、モニタ６０の画面にテレビジョン放送の映像が表示される。また、音声合成回路２６から緊急音声アナログ信号が合成された音声アナログ信号が出力され、スピーカ８０からテレビジョン放送の音声および緊急音声が出力される。
【０１２９】
蓄電器５１の電圧値が映像および音声の出力のために十分でない（蓄電器５１の電圧値が基準値Ｖｖ未満である）ときには、ＣＰＵ２４は、蓄電器電圧値信号Ｃ１１に基づいて蓄電器５１の電圧値が音声の出力のために十分である（蓄電器５１の電圧値が基準値Ｖａ以上かつ基準値Ｖｖ未満である）か否かを判別する（ステップＳ３３）。
【０１３０】
蓄電器５１の電圧値が音声の出力のために十分である（蓄電器５１の電圧値が基準値Ｖａ以上かつ基準値Ｖｖ未満である）ときには、ＣＰＵ２４は、図８の状態表に従ってＡＶデコーダ２９および音声出力回路２８のみに電源選択回路２７を用いて電力を供給する（ステップＳ３３）。ＡＶデコーダ２９および音声出力回路２８に電力が供給されると、ＣＰＵ２４は、ＡＶデコーダ２９および音声出力回路２８により音声アナログ信号を出力する（ステップＳ３５）。それにより、音声合成回路２６から緊急音声アナログ信号が合成された音声アナログ信号が出力され、スピーカ８０からテレビジョン放送の音声および緊急音声が出力される。
【０１３１】
蓄電器５１の電圧値が音声の出力にも十分でない（蓄電器５１の電圧値が基準値Ｖａ未満である）ときには、ＣＰＵ２４は、蓄電器５１の電力を最大限長く保持するために、図８の状態表に従ってＡＶデコーダ２９、映像出力回路３０および音声出力回路２８への電力供給を電源選択回路２７を用いて遮断する（ステップＳ３６）。
【０１３２】
（５−４）蓄電器５１の電圧低下時の充電動作
図１２は蓄電器５１の電圧値が低下したときに電源回路２２により蓄電器５１を充電する動作を示すフローチャートである。
【０１３３】
図１２において、蓄電器５１から電力が供給されているときに、蓄電器電圧検出器３２は、蓄電器５１の電圧値を検出し、電圧値を示す蓄電器電圧値信号Ｃ１１を出力する。ＣＰＵ２４は、蓄電器電圧値信号Ｃ１１に基づいて蓄電器５１の電圧値が十分でない（蓄電器５１の電圧値が基準値Ｖａ未満である）か否かを判別する（ステップＳ４０）。
【０１３４】
蓄電器５１の電圧値が十分である（蓄電器５１の電圧値が基準値Ｖａ以上である）ときには、ＣＰＵ２４は、電源スイッチ切替信号Ｃ１２を用いて図６の状態表に従ってスイッチ２３をオフに設定する（ステップＳ４５）。
【０１３５】
スイッチ２３がオフになると、図７に示すように、電源回路２２は電力を出力しない。電源回路電圧検出器３１は、電源回路２２の電圧値を検出し、電圧値を示す電源回路電圧値信号Ｃ１６をＣＰＵ２４に出力する。この場合、電源回路電圧検出器３１により検出される電源回路２２の電圧値は基準値Ｖｔ未満となる。ＣＰＵ２４は、図４の状態表に従って電源状態判別回路３３によりスイッチ５２をオフに設定する（ステップＳ４６）。その後、ＣＰＵ２４は、図１０の電力供給源が蓄電器５１の場合の動作に移行する。
【０１３６】
蓄電器５１の電圧値が十分でない（蓄電器５１の電圧値が基準値Ｖａ未満である）ときには、ＣＰＵ２４は、図６の状態表に従って電源スイッチ切替信号Ｃ１２を用いてスイッチ２３をオンに設定する（ステップＳ４１）。
【０１３７】
スイッチ２３がオンになると、図７に示すように、電源回路２２は電力を出力する。電源回路電圧検出器３１は、電源回路２２の電圧値を検出し、電圧値を示す電源回路電圧値信号Ｃ１６をＣＰＵ２４に出力する。この場合、電源回路電圧検出器３１により検出される電源回路２２の電圧値は基準値Ｖｔ以上となる。ＣＰＵ２４は、電源供給切替機２１を端子ａ側に切り替えることにより電力供給源を電源回路２２に設定する（ステップＳ４２）。
【０１３８】
さらに、ＣＰＵ２４は、ＡＶデコーダ２９、映像出力回路３０および音声出力回路２８への電力供給を電源選択回路２７を用いて遮断する（ステップＳ４３）。
【０１３９】
また、ＣＰＵ２４は、電源状態判別回路３３によりスイッチ５２をオンに設定し、蓄電器５１を電源回路２２からも充電する（ステップＳ４４）。
【０１４０】
ＣＰＵ２４は、ステップＳ４０で蓄電器５１の電圧値が十分になるまでステップＳ４０〜Ｓ４４の動作を繰り返す。
【０１４１】
（６）実施の形態の効果
以上の説明により、本実施の形態に係るテレビジョン受信機２０を含むテレビジョン受信システムにおいては、太陽光発電器１２により蓄電器５１が充電され、緊急警報信号を受信するために必要な構成要素に蓄電器５１から電力が供給される。また、蓄電器５１の電圧が低下した場合には、ＡＣ電源６１から電力が供給されているときに蓄電器５１が太陽光発電器１２に加えてＡＣ電源６１からも充電される。それにより、ＡＣ電源６１からの電力供給が遮断されているときでも、常に緊急警報信号を受信することができる。また、地震発生時等に停電でＡＣ電源６１から電力が供給されなくなった場合でも、緊急警報信号を受信することができる。
【０１４２】
さらに、蓄電器５１の電圧値によって電力が供給される回路が切り替えられる。それにより、電力供給が必要な構成要素に限定されるので、消費電力の低減が可能となる。したがって、地震発生時等に停電が発生しても、緊急警報信号を受信可能な状態が長い時間維持される。
【０１４３】
また、ＴＳデコーダ４３がＮＩＴまたはＰＡＴを解析することなく緊急警報信号の受信を認識すると直ちに緊急音声発生回路２５により緊急音声アナログ信号を発生することができるので、緊急事態の発生をユーザに迅速に知らせることができる。
【０１４４】
（７）他の実施の形態
（７−１）
上記実施の形態では、図２に示すように、太陽光発電器１２がアンテナ１１の隣に設置されているが、アンテナ１１の表面を太陽光発電器により構成してもよい。また、アンテナ１１はパラボラアンテナに限らず、地上放送用のＵＨＦアンテナまたはＶＨＦアンテナであってもよい。その場合には、コンバータ１５は不要となる。
【０１４５】
（７−２）
コンバータ１５に供給される電力により常に蓄電器５１が充電されるようにアンテナユニット１０が構成されてもよい。その場合には、スイッチ５２、電源状態判別回路３３、およびスイッチ切替信号Ｃ１７を伝送するためのケーブルは不要となる。
【０１４６】
（７−３）
図１の電源回路電圧検出器３１、蓄電器電圧検出器３２および電源状態判別回路３３の機能がＣＰＵ２４およびソフトウェアにより実現されてもよい。
【０１４７】
（７−４）
映像出力回路３０が映像デジタル信号を出力してもよく、音声出力回路２８が音声デジタル信号を出力してもよく、緊急音声発生回路２５が緊急音声デジタル信号を出力してもよい。
【０１４８】
（７−５）
スイッチ５２の状態を切り替えるための基準値Ｖｔと電源供給切替機２１の状態を切り替えるための基準値Ｖｔとが異なっていてもよい。また、スイッチ５２の状態を切り替えるための基準値Ｖａと電源選択回路２７の状態を切り替えるための基準値Ｖａとが異なっていてもよい。
【０１４９】
（７−６）
上記実施の形態では、本発明をテレビジョン受信機２０を含むテレビジョン受信システムに適用した例について説明したが、本発明は、これに限定されず、パーソナルコンピュータ、ＤＶＤ（デジタルバーサタイルディスク）レコーダ、携帯電話等のデジタル放送受信機能を有する種々のデジタル放送受信装置に適用可能である。
【０１５０】
（８）請求項の各構成要素と実施の形態の各部との対応
以下、請求項の各構成要素と実施の形態の各部との対応の例について説明するが、本発明は下記の例に限定されない。
【０１５１】
上記実施の形態では、チューナ４１が受信手段に相当し、復調回路４２が復調手段に相当し、ＴＳデコーダ４３が抽出手段に相当し、緊急音声発生回路２５が緊急警報出力手段に相当し、太陽光発電器１２が光発電手段に相当し、蓄電器５１が蓄電手段に相当し、電源回路電圧検出器３１が第１の検出手段に相当し、電源供給切替機２１が電力切替手段に相当し、ＡＣ電源６１が外部電源に相当する。
【０１５２】
また、ＡＶデコーダ２９が復号手段に相当し、映像出力回路３０が映像出力手段に相当し、音声出力回路２８が音声出力手段に相当し、電源選択回路２７が供給選択手段に相当し、蓄電器電圧検出器３２が第２の検出手段に相当し、緊急音声発生回路２５が緊急音声発生手段に相当し、音声合成回路２６が音声合成手段に相当し、ＣＰＵ２４が制御手段に相当し、スイッチ５２が充電切替手段に相当し、電源状態判別回路３３が設定手段に相当し、コンバータ１５が変換手段に相当し、支柱５３が支持部材に相当する。
【０１５３】
さらに、緊急音声が緊急警報に相当し、映像アナログ信号が映像信号に相当し、音声アナログ信号が音声信号に相当し、緊急音声アナログ信号が緊急音声信号に相当し、基準値Ｖｔが第１の基準値および第１の許容値に相当し、基準値Ｖｖが第２の基準値に相当し、基準値Ｖａが第３の基準値および第２の許容値に相当し、スイッチ５２がオンしている状態が第１の状態に相当し、スイッチ５２がオフしている状態が第２の状態に相当する。
【産業上の利用可能性】
【０１５４】
本発明は、一般的なテレビジョン受信機、パーソナルコンピュータ、ＤＶＤレコーダ、携帯電話等のデジタル放送受信機能を有する各種デジタル放送受信装置に利用可能である。
【図面の簡単な説明】
【０１５５】
【図１】本発明の一実施の形態に係るデジタル放送受信システムの構成を示すブロック図
【図２】図１のアンテナユニットの外観斜視図
【図３】テレビジョン放送システムから送信されるテレビジョン信号に重畳される緊急警報信号における緊急情報記述子のデータ構造を示す図
【図４】スイッチの状態表を示す図
【図５】電源供給切替機の状態表を示す図
【図６】スイッチの状態表を示す図
【図７】電源回路の状態表を示す図
【図８】電源選択回路の状態表を示す図
【図９】アンテナユニットおよびテレビジョン受信機への電力供給源をＡＣ電源から蓄電器に切り替える動作を示すフローチャート
【図１０】電力供給源が蓄電器である状態で緊急警報信号が受信されたときに緊急音声、映像および音声を出力する動作を示すフローチャート
【図１１】ＡＣ電源から電力供給がない状態で緊急警報信号が受信されたときに緊急音声、映像および音声を出力する動作を示すフローチャート
【図１２】蓄電器の電圧値が低下したときに電源回路により蓄電器を充電する動作を示すフローチャート
【図１３】従来のテレビジョン受信機の構成の一例を示すブロック図
【符号の説明】
【０１５６】
１０  テレビジョン電波受信アンテナ
１１  アンテナ
１２  太陽光発電器
１５  コンバータ
２０  テレビジョン受信機
２１  電源供給切替機
２２  電源回路
２３  スイッチ
２４  ＣＰＵ
２５  緊急音声発生回路
２６  音声合成回路
２７  電源選択回路
２８  音声出力回路
２９  ＡＶデコーダ
３０  映像出力回路
３１  電源回路電圧検出器
３２  蓄電器電圧検出器
３３  電源状態判別回路
４０  受信信号判別ブロック
４１  チューナ
４２  復調回路
４３  ＴＳデコーダ
４４  ＤＣ−ＤＣコンバータ
５０  蓄電回路
５１  太陽光発電器
５２  スイッチ
５３  支柱
６０  モニタ
６１  ＡＣ電源
６２  同軸ケーブル
７０  スピーカ
８０  リモコン
【図１】
0004723388.tif 000002
【図２】
0004723388.tif 000003
【図３】
0004723388.tif 000004
【図４】
0004723388.tif 000005
【図５】
0004723388.tif 000006
【図６】
0004723388.tif 000007
【図７】
0004723388.tif 000008
【図８】
0004723388.tif 000009
【図９】
0004723388.tif 000010
【図１０】
0004723388.tif 000011
【図１１】
0004723388.tif 000012
【図１２】
0004723388.tif 000013
【図１３】
0004723388.tif 000014